(57)【要約】【課題】デザイン性に優れ、食器類に付着している水や汚染物が排気口に侵入することの無い衛生的な食器洗い機を提供する。【解決手段】前方に開口部１７を設けた食器洗い機本体１６内に出し入れ自在の洗浄槽２２の前面に、開口部１７を覆う扉体１８と、洗浄槽２２内の空気を上向きに排出する第２の排気口３１を開閉するシャッター３７とを備え、運転時に第２の排気口３１から排出された空気を、扉体１８の上方から前向きに外部に排出すると共に、シャッター３７は、洗浄槽２２を食器洗い機本体１６から引き出した時に閉じるもので、システムキッチン５０の扉（図示せず）と同じ材質、大きさの化粧板（図示せず）を扉体１８の前面全てに施してデザイン性を向上させると共に、洗浄槽２２を引き出して食器類２４をセットする際に、食器類２４に付着した水や汚染物が第２の排気口３１に侵入することが無い。【選択図】図１
2007301066.tif 000002
【特許請求の範囲】
【請求項１】
前方に開口部を設けた食器洗い機本体内に出し入れ自在の洗浄槽を設け、前記洗浄槽の前面に、前記開口部を覆う扉体と、前記洗浄槽内の空気を上向きに排出する排気口と、前記排気口を開閉するシャッターとを備え、運転時に前記排気口から排出された空気を、前記扉体の上方から前向きに外部に排出すると共に、前記シャッターは、前記洗浄槽を前記食器洗い機本体内に収納したときに開き、前記洗浄槽を前記食器洗い機本体から引き出したときに閉じるようにした食器洗い機。
【請求項２】
排気口にシャッターを回動自在に軸支し、前記シャッターを排気口を閉塞する方向に付勢する付勢手段と、洗浄槽を食器洗い機本体内に収納したとき、前記付勢手段の付勢力に抗して前記シャッターを開成するアクチェータとを備えた請求項１に記載の食器洗い機。
【発明の詳細な説明】
【技術分野】
【０００１】
本発明は食器等の洗浄および乾燥を行う食器洗い機に関するものである。
【背景技術】
【０００２】
従来、この種の食器洗い機は、図４に示すように構成されていた（例えば、特許文献１参照）。以下、その構成について説明する。
【０００３】
図４に示すように、システムキッチン５０に収容された食器洗い機本体１内に設けた洗浄槽２は、上方に槽開口部３を設け、内部に食器類４を収容する食器かご５を配置している。食器かご５の下方には、洗浄ノズル６を回転自在に設けており、洗浄槽２内に溜めた洗浄水をポンプ７によって循環させ、洗浄ノズル６より噴射して食器類４を洗浄する。
【０００４】
また、洗浄槽２の前方に設けられた前面パネル８の上部には排気口９が設けられ、送風手段１０によって洗浄槽２内の空気を排気口９より機外へ排出して食器類４の乾燥をする。
【０００５】
また、前面パネル８の下方にはシステムキッチン５０の扉と同じ材質からなる化粧板１１を取り付けることで、システムキッチン５０のデザイン性を向上させることができる。
【０００６】
洗浄槽２の側面には、第１のレール１２を固定しており、第１のレール１２は、食器洗い機本体１に固定した第２のレール１３により前後方向へ平行移動可能に支持されている。食器類４の出し入れを行う際には、前面パネル８に一体的に形成されたハンドル１４をつかみ、洗浄槽２を前方に引き出し、槽開口部３より食器類４の収容を行う。次に洗浄槽２を食器洗い機本体１内に戻し、運転を開始すると、洗浄槽２の底部に配置されたヒータ１５によって洗浄水を加熱しながら、洗浄ノズル６から食器類４に向かって噴射し、食器類４の汚れを落とす洗浄行程が行われる。その後、食器類４をすすいだ後、乾燥行程を行って運転が終了する。
【特許文献１】特開２００１−０４６３０１号公報
【発明の開示】
【発明が解決しようとする課題】
【０００７】
しかしながら、このような従来の食器洗い機の構成では、送風手段１０が、機外の空気を吸い込み、洗浄槽２内へ送風するとともに、洗浄槽２内の水分を多く含んだ空気を機外に排気しているが、収納されるシステムキッチン５０内に結露が発生しないよう、排気をシステムキッチン５０外に排出する必要があり、前面パネル８に、排気を前方に排出する排気口９を設けている。そのため、前面パネル８が外観となり、前面パネル８の下方に化粧板１１を取り付けることによって、システムキッチン５０のデザイン性を向上することができるが、前面パネル８の色や形状、大きさによっては、多様化するシステムキッチンのデザインに適応しないという課題を有していた。
【０００８】
本発明は、上記従来の課題を解決するもので、収容されるシステムキッチンの扉と同じ材質、大きさの化粧板を扉体の前面全てに施してデザイン性の優れた食器洗い機を提供すると共に、洗浄槽を引き出して食器類をセットする際に、食器類に付着している水や汚染物が排気口に侵入することのない衛生的な食器洗い機を提供することを目的とする。
【課題を解決するための手段】
【０００９】
上記従来の課題を解決するために、本発明の食器洗い機は、前方に開口部を設けた食器洗い機本体内に出し入れ自在の洗浄槽を設け、前記洗浄槽の前面に、前記開口部を覆う扉体と、前記洗浄槽内の空気を上向きに排出する排気口と、前記排気口を開閉するシャッターとを備え、運転時に前記排気口から排出された空気を、前記扉体の上方から前向きに外部に排出すると共に、前記シャッターは、前記洗浄槽を前記食器洗い機本体内に収納したときに開き、前記洗浄槽を前記食器洗い機本体から引き出したときに閉じるようにしたもので、排気を扉体上部から排出するようにしたことにより、システムキッチンの扉と同じ材質、大きさの化粧板を、扉体の前面全てに施すことができるようになり、デザイン性に優れた食器洗い機を提供することができると共に、洗浄槽を引き出して食器類をセットする際に、排気口がシャッターで閉じられているので、食器類に付着していた水や汚染物が、上向きに開口した排気口に侵入するのを防ぐことができる。
【発明の効果】
【００１０】
本発明の食器洗い機は、排気を扉体上部から排出するようにしたことにより、システムキッチンの扉と同じ材質、大きさの化粧板を、扉体の前面全てに施すことができるようになり、デザイン性に優れた食器洗い機を提供することができると共に、洗浄槽を引き出して食器類をセットする際に、排気口がシャッターで閉じられているので、食器類に付着していた水や汚染物が、上向きに開口した排気口に侵入するのを防ぐことができる。
【発明を実施するための最良の形態】
【００１１】
第１の発明は、前方に開口部を設けた食器洗い機本体内に出し入れ自在の洗浄槽を設け、前記洗浄槽の前面に、前記開口部を覆う扉体と、前記洗浄槽内の空気を上向きに排出する排気口と、前記排気口を開閉するシャッターとを備え、運転時に前記排気口から排出された空気を、前記扉体の上方から前向きに外部に排出すると共に、前記シャッターは、前記洗浄槽を前記食器洗い機本体内に収納したときに開き、前記洗浄槽を前記食器洗い機本体から引き出したときに閉じるようにしたもので、排気を扉体上部から排出するようにしたことにより、システムキッチンの扉と同じ材質、大きさの化粧板を、扉体の前面全てに施すことができるようになり、デザイン性に優れた食器洗い機を提供することができると共に、洗浄槽を引き出して食器類をセットする際に、排気口がシャッターで閉じられているので、食器類に付着していた水や汚染物が、上向きに開口した排気口に侵入するのを防ぐことができる。
【００１２】
第２の発明は、特に、第１の発明の排気口にシャッターを回動自在に軸支し、前記シャッターを排気口を閉塞する方向に付勢する付勢手段と、洗浄槽を食器洗い機本体内に収納したとき、前記付勢手段の付勢力に抗して前記シャッターを開成するアクチェータとを備えたもので、安価で、簡単な構成で、洗浄槽の引き出し動作に連動させて、確実にシャッターの開閉動作を行うことができる。
【００１３】
以下、本発明の実施の形態について、図面を参照しながら説明する。なお、この実施の形態によって、本発明が限定されるものではない。
【００１４】
（実施の形態１）
図１は、本発明の第１の実施の形態における食器洗い機の側断面図、図２は、同食器洗い機の要部断面図、図３は、同食器洗い機の正面図である。
【００１５】
図１において、システムキッチン５０に収容された食器洗い機本体１６は、前面に開口部１７を有し、その開口部１７は、扉体１８によって覆われている。扉体１８は、前面全てがシステムキッチン５０の引き出し収納等の扉（図示せず）と同じ材質・大きさの化粧板１９と、化粧板１９を固定すると共に、上部に操作部２０を形成した操作パネル２１からなり、操作部２０は、洗浄プログラムを選択するなどの運転操作を食器洗い機本体１の上方からできるように構成されている。
【００１６】
また、食器洗い機本体１６の内部に設けた洗浄槽２２は、上方に槽開口部２３を有し、内部に食器類２４を収容する食器かご２５を配置している。食器かご２５の下方には洗浄水を噴射する洗浄ノズル２６を回転自在に設けるとともに、洗浄槽２２内に溜めた洗浄水を洗浄ノズル２６を介して循環するポンプ２７を設けている。また、洗浄槽２２内の底部には洗浄水と第１の送風手段２８によって送風される空気とを加熱するヒータ２９を配設している。
【００１７】
第１の排気口３０は、扉体１８と洗浄槽２２との間に配設され、第１の送風手段２８によって洗浄槽２２内の空気を排気するためのものである。第１の排気口３０は、従来の排気口と同じ大きさの開口を有している。また、第２の排気口３１は、操作パネル２１に設けられ、第１の排気口３０と第２の排気口３１は、排気経路３２で連通され、第１の排気口３０より排気された空気は、第２の排気口３１より上向きに排出され、さらに、食器洗い機本体１６の開口部１７の上辺に取り付けられた整流板３３によって、上向きの排気風が前方に変えられ、扉体１８の上方から前方に排出するように構成されている。
【００１８】
また、整流板３３は、第２の排気口３１の上方に配設し、排気がシステムキッチン５０内方へ排気が排出されるのを防ぐよう略Ｌ字状の断面とし、その前端をシステムキッチン５０のカウンタートップ５０ｂの前端部５０ｃとほぼ同じ位置としている。
【００１９】
第２の送風手段３４は、第１の送風手段２８とほぼ同じ能力を有し、外気を扉体１８の後方に配設した送風経路３５を介して、第２の排気口３１に送風するよう構成されている。送風経路３５は、排気経路３２と前後方向で面接触するよう配設しつつ、第２の排気口３１で、洗浄槽２２内から排出された空気と、外気が混合するように構成されている。
【００２０】
また、第２の排気口３１にはシャッター３７を設け、洗浄槽２２を食器洗い機本体１６内に収納した状態で、第２の排気口３１を開放し、洗浄槽２２を引き出した状態で、密閉するように構成されている。
【００２１】
シャッター３７は、第２の排気口３１の上端に回動自在に軸支され、付勢手段である付勢バネ（図示なし）により第２の排気口３１を塞ぐ方向に付勢されている。また、食器洗い機本体１６の開口部１７の上方に一体的に形成されたアクチェータ３８を設け、洗浄槽２２を食器洗い機本体１６内に収納した時に、アクチェータ３８がシャッター３７の軸支部の反対側に干渉させることで、第２の排気口３１を開放するようにしている。
【００２２】
また、洗浄槽２２の下部には、洗浄水の温度を検知する温度検知手段３９が設けられ、洗浄・すすぎ・乾燥工程を逐次制御する制御手段４０は、温度検知手段３９からの信号によって第１の送風手段２８、第２の送風手段３４の運転時間を制御するよう構成しており、洗浄・すすぎ工程で、温度検知手段３９によって、洗浄槽２２の温度が一定の温度（例えば５０℃）に達したことが検知されると、第２の送風手段３４が運転し、乾燥工程に入ると、第２の送風手段３４を運転するとともに、第１の送風手段２８を、数分間間欠運転させた後連続運転させ、一定の時間経過後に、第２の送風手段３４の運転を停止するようにしている。
【００２３】
また、洗浄槽２２の側面には第１のレール４１が固定され、その第１のレール４１は食器洗い機本体１６側に固定した第２のレール４２によって前後方向へ平行移動可能に支持されている。食器類２４の出し入れを行う際には、化粧板１９に取り付けられたハンドル４３をつかみ、洗浄槽２２を前方に引き出し、上方の槽開口部２３より食器類２４の収容を行う。
【００２４】
上記のように構成された本実施の形態における食器洗い機の動作、作用を説明する。
【００２５】
化粧板１９に設けたハンドル４３をつかみ洗浄槽２２を食器洗い機本体１６から引き出して、操作パネル２１を上方から操作し、食器かご２５に汚れた食器類２４をセットする。このとき、第２の排気口３１は、付勢バネによって閉塞方向に付勢されたシャッター３７によって閉塞されているため、食器類２４をセットする際に食器類２４に付着している水や汚染物が滴下したときに、それが第２の排気口３１に侵入するのを防止することができる。
【００２６】
次に洗浄槽２２を食器洗い機本体１６内に押し戻すと、食器洗い機本体１６の開口部１７の上方に設けられたアクチェータ３８が、第２の排気口３１に設けたシャッター３７を、付勢バネの付勢力に抗して押し、第２の開口部３１を開放する。運転を開始すると、洗浄槽２２内底に配置されたヒータ２９によって加熱された洗浄水が、洗浄ノズル２６から食器類２４に向かって噴射され、食器類２４の汚れを落とす洗浄工程が行われる。
【００２７】
その後、数回の溜めすすぎを行った後、ヒータ２９によって、洗浄水を約８０℃に加熱しながら、すすぐ、加熱すすぎ工程を行った後、ヒータ２９によって空気を加熱しながら、第１の送風手段２８によって水分を多く含んだ加熱空気を、第１の排気口３０より排出しつつ、食器類２４および洗浄槽２２内部を乾かす乾燥工程を行って運転が終了する。
【００２８】
乾燥工程では、ヒータ２９によって洗浄槽２２内の空気を加熱しながら、第１の送風手段２８によって、水分を多く含むとともに高温の加熱空気が、第１の排気口３０から排出され、その第１の排気口３０から排出された空気は、排気経路３２を介し、シャッター３７が開いた第２の排気口３１で、第２の送風手段３４から送られてきた外気と合流し、温度、湿度が低減され、扉体１８の上端と扉体１８上方にあるシステムキッチン５０のカウンタートップ５０ｂとの間の隙間から機外へ排出される。
【００２９】
この排気は、従来の排気口の面積と同じ開口を有した第１の排気口３０から排出されているため、排気性能を維持しつつ乾燥性能を満足するとともに、第２の排気口３１から排出されるときは、外気と混合され、温度、湿度が低減されているため、システムキッチン５０に収容した状態でもシステムキッチン５０に結露等が発生するのを防止することができる。
【００３０】
また、化粧板１９は、扉体１８の前面を覆いシステムキッチン５０の扉と同じ材質、大きさであるためデザイン性が損なわれることはない。
【００３１】
このように本実施の形態によれば、前方に開口部１７を設けた食器洗い機本体１６内に引き出し自在の洗浄槽２２を設け、前記洗浄槽２２の前面に、前記開口部１７を覆う扉体１８と、洗浄槽２２内の空気を排出する第１の排気口３０と、第１の排気口３０と連通する第２の排気口３１に開閉自在に設けられたシャッター３７とを備え、前記シャッター３７を、前記洗浄槽２２を前記食器洗い機本体１６内に収納したときに開放することにより、排気を扉体１８上部の隙間から排出し、収容されるシステムキッチン５０の扉と同じ材質、大きさの化粧板１９が扉体１８の前面全てに施されたデザイン性の優れた食器洗い機を提供することができる。又、洗浄槽２２を引き出して食器類２４をセットする際に、食器類２４に付着している水や汚染物が、上向きに開口した第２の排気口３１に侵入するのを防ぐことができる。
【００３２】
また、第２の排気口３１にシャッター３７を回動自在に軸支し、前記シャッター３７を閉塞方向に付勢する付勢バネと、開口部１７の上方にアクチェータ３８とを備え、前記アクチェータ３８は、洗浄槽２２を食器洗い機本体１６内に収納したとき、シャッター３７を開放するように構成したことにより、洗浄槽２２の引き出し動作に合わせて、容易にまた確実にシャッター３７を開閉させることができる。
【産業上の利用可能性】
【００３３】
以上のように、本発明にかかる食器洗い機は、デザイン性に優れ、しかも食器類に付着している水や汚染物が排気口に侵入することの無い衛生的なもので、システムキッチンに組み込む食器洗い機に広く適用できる。
【図面の簡単な説明】
【００３４】
【図１】本発明の実施の形態１における食器洗い機の側断面図
【図２】同食器洗い機の要部断面図
【図３】同食器洗い機の正面図
【図４】従来の食器洗い機の側断面図
【符号の説明】
【００３５】
１６  食器洗い機本体
１７  開口部
１８  扉体
２２  洗浄槽
３１  第２の排気口（排気口）
３７  シャッター
５０  システムキッチン
【図１】
2007301066.tif 000003
【図２】
2007301066.tif 000004
【図３】
2007301066.tif 000005
【図４】
2007301066.tif 000006